(57)【要約】【課題】入力されたユーザ認証情報と共に現在位置に基づいて使用制限を解除できるようにする。【解決手段】ＣＰＵ１は、使用制限の解除が要求された際に、入力されたパスワードに基づいてユーザ認証を行った結果、正規なユーザであれば、ＧＰＳ部１９から取得した現在位置とＲＴＣ１８から取得した現在時刻に基づいて起動制限解除テーブル２２あるいは機能／フォルダ制限解除テーブル２４を検索し、この現在位置、現在時刻と解除条件としての「位置」、「時間」とを比較し、この比較結果に基づいて使用制限を解除するか否かを決定する。【選択図】図１
2011234396.tif 000002
【特許請求の範囲】
【請求項１】
使用制限の設定と解除が可能な携帯端末装置であって、
この携帯端末装置の使用を制限する第１のエリアを特定する制限エリア情報を記憶する使用制限条件記憶手段と、
予め設定されているユーザ認証情報と、前記第１のエリア内で且つこの携帯端末装置の使用制限を解除可能とする第２のエリアを特定する制限解除エリア情報と、を対応付けて記憶する解除条件記憶手段と、
ユーザ認証情報を入力する認証情報入力手段と、
この携帯端末装置の現在の位置情報を取得する位置情報取得手段と、
前記位置情報取得手段によって得られた位置情報が示す現在位置が、前記使用制限条件記憶手段に記憶されている制限エリア情報により特定される第１のエリアに属すか否かを判別し、属すと判別したときに、この携帯端末装置の使用の制限を設定する制限手段と、
前記制限手段がこの携帯端末装置の使用の制限を設定したときに、使用の制限の状態にあることを示すメッセージを出力する手段と、
使用制限の解除要求を入力する解除要求入力手段と、
前記解除要求入力手段により使用制限の解除要求が入力された際に、前記認証情報入力手段から入力されたユーザ認証情報及び前記位置情報取得手段によって得られた現在の位置情報と前記解除条件記憶手段に記憶されているユーザ認証情報及び制限解除エリア情報とを比較し、前記認証情報入力手段から入力されたユーザ認証情報と前記解除条件記憶手段に記憶されているユーザ認証情報とが対応し、且つ、前記位置情報取得手段によって得られた位置情報が示す現在位置が前記解除条件記憶手段に記憶されている制限解除エリア情報により特定される第２のエリア内の場合に、前記第２のエリア内におけるこの携帯端末装置の使用制限を解除する決定手段と、
を具備したことを特徴とする携帯端末装置。
【発明の詳細な説明】
【技術分野】
【０００１】
この発明は、使用制限の設定が可能な携帯端末装置及びプログラムに関する。
【背景技術】
【０００２】
従来、端末装置自体の使用を制限したり、カメラ機能などの機能の使用を制限するようにした携帯端末装置としては、例えば、電波による障害発生が危惧される場所あるいは通話により周囲に不快感を及ぼす場所を検出した際に、その端末装置の使用を制限するようにした技術が知られている（特許文献１参照）。また、撮影禁止区域、録音禁止区域を検出した際に、撮影機能、録音機能の使用を制限するようにした技術が知られている（特許文献２参照）。
【先行技術文献】
【特許文献】
【０００３】
【特許文献１】特開２０００−２２４６６１号公報
【特許文献２】特開２００５−１９１７７５号公報
【発明の概要】
【発明が解決しようとする課題】
【０００４】
上述の先行技術においてその制限状態を解除するためには、その場所から離れるしかなかった。ところで、一般に、使用が制限されている状態において、ユーザ認証情報を入力することによってその制限を解除することが可能となるが、例えば、公共施設内での通話、撮影禁止区域、録音禁止区域などにあっては、ユーザ認証情報を入力してその制限を解除する方法は不適切である。
【０００５】
この発明の課題は、入力されたユーザ認証情報と共に現在位置に基づいて使用制限を解除できるようにすることである。
【課題を解決するための手段】
【０００６】
この発明は、使用制限の設定と解除が可能な携帯端末装置であって、
この携帯端末装置の使用を制限する第１のエリアを特定する制限エリア情報を記憶する使用制限条件記憶手段と、
予め設定されているユーザ認証情報と、前記第１のエリア内で且つこの携帯端末装置の使用制限を解除可能とする第２のエリアを特定する制限解除エリア情報と、を対応付けて記憶する解除条件記憶手段と、
ユーザ認証情報を入力する認証情報入力手段と、
この携帯端末装置の現在の位置情報を取得する位置情報取得手段と、
前記位置情報取得手段によって得られた位置情報が示す現在位置が、前記使用制限条件記憶手段に記憶されている制限エリア情報により特定される第１のエリアに属すか否かを判別し、属すと判別したときに、この携帯端末装置の使用の制限を設定する制限手段と、
前記制限手段がこの携帯端末装置の使用の制限を設定したときに、使用の制限の状態にあることを示すメッセージを出力する手段と、
使用制限の解除要求を入力する解除要求入力手段と、
前記解除要求入力手段により使用制限の解除要求が入力された際に、前記認証情報入力手段から入力されたユーザ認証情報及び前記位置情報取得手段によって得られた現在の位置情報と前記解除条件記憶手段に記憶されているユーザ認証情報及び制限解除エリア情報とを比較し、前記認証情報入力手段から入力されたユーザ認証情報と前記解除条件記憶手段に記憶されているユーザ認証情報とが対応し、且つ、前記位置情報取得手段によって得られた位置情報が示す現在位置が前記解除条件記憶手段に記憶されている制限解除エリア情報により特定される第２のエリア内の場合に、前記第２のエリア内におけるこの携帯端末装置の使用制限を解除する決定手段と、
を具備したことを特徴とする。
【０００７】
前記使用制限の設定は、例えば、前記携帯端末装置本体を起動する際の立ち上げ可否を示す設定であり、前記決定手段は、例えば、前記解除要求入力手段から前記使用制限の解除要求が入力された際に、前記認証情報入力手段から入力されたユーザ認証情報と前記解除条件記憶手段に記憶されているユーザ認証情報とが対応し、且つ、前記位置情報取得手段によって得られた位置情報が示す現在位置が前記解除条件記憶手段に記憶されている制限解除エリア情報により特定される第２のエリア内の場合に、前記第２のエリア内におけるこの携帯端末装置本体を立ち上げる。
【０００８】
前記使用制限の設定は、例えば、個々の機能毎にその使用可否を示す設定であり、前記解除条件記憶手段は、例えば、個々の機能毎に前記ユーザ認証情報と前記制限解除エリア情報とを対応付けて記憶し、前記決定手段は、例えば、前記制限手段によって使用の制限が設定される機能に対して前記解除要求入力手段から前記使用制限の解除要求が入力された際に、前記認証情報入力手段から入力されたユーザ認証情報と前記解除条件記憶手段に当該要求機能と対応付けられて記憶されているユーザ認証情報とが対応し、且つ、前記位置情報取得手段によって得られた位置情報が示す現在位置が前記解除条件記憶手段に前記要求機能と対応付けられて記憶されている前記制限解除エリア情報により特定される第２のエリア内の場合に、前記第２のエリア内における前記要求機能の使用制限を解除する。
【０００９】
前記使用制限の設定は、例えば、個々の情報毎にその使用可否を示す設定であり、前記解除条件記憶手段は、例えば、個々の情報毎に前記ユーザ認証情報と前記制限解除エリア情報とを対応付けて記憶し、前記決定手段は、例えば、前記制限手段によって使用の制限が設定される情報に対して前記解除要求入力手段から前記使用制限の解除要求が入力された際に、前記認証情報入力手段から入力されたユーザ認証情報と前記解除条件記憶手段に当該要求情報と対応付けられて記憶されているユーザ認証情報とが対応し、且つ、前記位置情報取得手段によって得られた位置情報が示す現在位置が前記解除条件記憶手段に前記要求情報と対応付けられて記憶されている前記制限解除エリア情報により特定される第２のエリア内の場合に、前記第２のエリア内における前記要求情報の使用制限を解除する。
【００１０】
例えば、現在時刻を取得する現在時刻取得手段をさらに備え、前記解除条件記憶手段は、例えば、前記使用制限を解除可能とする解除条件として前記制限解除エリア情報と共にこの使用制限の解除を可能とする時間帯を特定する解除時間帯情報を対応付けて記憶し、前記決定手段は、例えば、前記解除要求入力手段により使用制限の解除要求が入力された際に、前記認証情報入力手段から入力されたユーザ認証情報、前記位置情報取得手段によって得られた現在の位置情報及び前記現在時刻取得手段が取得した前記現在時刻と、前記解除条件記憶手段に対応付けて記憶されているユーザ認証情報、前記制限解除エリア情報及び前記解除時間帯情報とを比較し、前記認証情報入力手段から入力されたユーザ認証情報と前記解除条件記憶手段に記憶されているユーザ認証情報とが対応し、前記位置情報取得手段によって得られた位置情報が示す現在位置が前記解除条件記憶手段に記憶されている前記制限解除エリア情報により特定される第２のエリア内であり、且つ、前記現在時刻取得手段が取得した前記現在時刻が前記解除条件記憶手段に記憶されている前記解除時間帯情報により特定される前記時間帯に属す場合に、前記第２のエリア内におけるこの携帯端末装置の使用制限を解除する。
【００１１】
前記解除条件記憶手段は、例えば、予め設定されている複数のユーザ認証情報と、前記制限解除エリア情報と、を対応付けて記憶し、前記決定手段は、例えば、前記解除要求入力手段から前記使用制限の解除要求が入力された際に、前記認証情報入力手段から入力されたユーザ認証情報が前記解除条件記憶手段内の何れかのユーザ認証情報に一致した場合に、前記位置情報取得手段によって得られた位置情報が示す現在位置が、このユーザ認証情報と対応付けられて記憶されている前記制限解除エリア情報により特定される第２のエリア内の場合、前記第２のエリア内におけるこの携帯端末装置の使用制限を解除する。
【００１２】
前記決定手段は、例えば、前記使用制限を解除した後、前記位置情報取得手段によって得られた位置情報が示す現在位置が前記第２のエリア外となった場合に、この携帯端末装置の使用制限の解除を終了する。
【００１３】
コンピュータに、
ユーザ認証情報を入力する認証情報入力ステップと、
使用制限の解除要求を入力する解除要求入力ステップと、
この携帯端末装置の現在の位置情報を取得する位置情報取得ステップと、
前記位置情報取得ステップで得られた位置情報が示す現在位置が、記憶部に記憶されている制限エリア情報により特定される第１のエリアに属すか否かを判別し、属すと判別したときに、この携帯端末装置の使用の制限を設定する制限ステップと、
前記解除要求入力ステップで使用制限の解除要求が入力された際に、前記認証情報入力ステップで入力されたユーザ認証情報及び前記位置情報取得ステップで得られた現在の位置情報と前記記憶部に記憶されているユーザ認証情報及び制限解除エリア情報とを比較し、前記認証情報入力ステップで入力されたユーザ認証情報と前記記憶部に記憶されているユーザ認証情報とが対応し、且つ、前記位置情報取得ステップで得られた位置情報が示す現在位置が前記記憶部に記憶されている制限解除エリア情報により特定される第２のエリア内の場合に、前記第２のエリア内におけるこの携帯端末装置の使用制限を解除する決定ステップと、
を実行させるプログラムとしてもよい。
【発明の効果】
【００１４】
この発明は、入力されたユーザ認証情報と共に現在位置に基づいて使用制限を解除することにより、ユーザ認証情報を入力して制限解除を要求する場合、その要求時の位置に応じて制限解除ができる場合とできない場合とを制御することが可能となる。
【図面の簡単な説明】
【００１５】
【図１】携帯端末装置として適用した携帯電話装置の基本的な構成要素を示したブロック図。
【図２】（Ａ）は、起動制限テーブル２１を説明するための図、（Ｂ）は、起動制限解除テーブル２２を説明するための図。
【図３】起動制限の条件と解除条件との関係を例示したものであり、制限範囲内の一部分を解除エリアとした場合を示した図。
【図４】機能／フォルダ制限テーブル２３を説明するための図。
【図５】機能／フォルダ制限解除テーブル２４を説明するための図。
【図６】電源投入に伴って実行開始される携帯電話装置の全体動作を示したフローチャート。
【図７】図６に続く、フローチャート。
【図８】図７に続く、フローチャート。
【発明を実施するための形態】
【００１６】
（実施例１）
以下、図１〜図８を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、通話機能、メール機能、インターネット接続機能（Ｗｅｂアクセス機能）のほか、テレビ機能、録音機能、カメラ機能、再生機能などの各種の機能が備えられている。
【００１７】
ＣＰＵ１は、記憶部２内の各種のプログラムに応じてこの携帯電話装置の全体動作を制御する中核的な中央演算処理装置であり、このメインＣＰＵ１のほか、この携帯電話装置には、例えば、映像・音声データの受送信機能、受信映像の再生機能などの機能別に、複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図６〜図８に示す動作手順に応じて本実施例を実現するためのプログラムが格納されているほか、各種の機能に対応するアプリケーションが格納されている。また、記憶部２のデータ領域には、後述する起動制限テーブル２１、起動制限解除テーブル２２、機能／フォルダ制限テーブル２３、機能／フォルダ制限解除テーブル２４などが設けられている。
【００１８】
記録メディア３は、着脱自在な可搬型メモリで、画像データ、各種のデータ、プログラムを外部供給するもので、例えば、スマートメディア、ＩＣカードなどによって構成されている。メモリ４は、ワーク領域を有する内部メモリで、例えば、ＤＲＡＭ、ＳＤＲＡＭ（Synchronous DRAM）などによって構成され、必要に応じてメモリ４内の各種のデータは、記憶部２にセーブされる。電話通信部５は、携帯電話通信機能を構成するもので、アンテナ５Ａに接続された送受信部（ベースバンド部）の受信側から信号を取り込んで受信ベースバンド信号に復調したのちに、音響制御部６を介して受話スピーカ７から音声出力させる。また、電話通信部５は、送話マイク８から入力された音声データを音響制御部６から取り込み、送信ベースバンド信号に符号化したのちに送受信部の送信側に与えられてアンテナ５Ａから発信出力させる。
【００１９】
一方、メール機能、テレビ機能、Ｗｅｂアクセス機能によって電話通信部５を介して受信取得した表示データは、表示制御部９を介してＬＣＤ（液晶表示装置）などを備えたメイン表示部１０に与えられて表示出力される。メイン表示部１０は、文字情報、テレビ映像データ、各種のメッセージなどを高品位に表示し、装置本体の背面側に設けられたサブ表示部１１は、現在日時、簡易なメッセージ、アイコンなどを表示する。キー操作部１２は、ダイヤル入力、文字入力、コマンド入力などを行うもので、テレビ機能用、録音機能用、カメラ機能用などの各種キーを備えている。
【００２０】
テレビ放送受信チューナ１３は、携帯電話などの携帯受信機向けの地上波デジタルテレビ放送を受信するもので、テレビ映像及び音声情報以外にも電子番組表(ＥＰＧ)なども含めて受信可能となっている。また、このテレビ放送受信チューナ１３は、ＴＶアンテナに接続されている受信部と、受信したテレビ放送を映像信号、音声信号に分離する増幅分離部と、圧縮データを解凍するデコード部などを有する構成となっており、このテレビ受信チューナ１３から出力されたテレビ映像信号は、メイン表示部１０から表示出力され、また、テレビ音声信号は、内蔵スピーカ（高音圧スピーカ）１４から出力される。
【００２１】
録音部１５は、テレビ音声、通話相手の音声などを録音可能なもので、録音データを記憶部２あるいは記録メディア３に格納する。カメラ撮像部１６は、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームを調整制御したり、オートフォーカス時の駆動制御、シャッター駆動制御、露出、ホワイトバランス等を制御する。報知部１７は、着信報知などの報知用のスピーカ、ＬＥＤ(発光ダイオード)、振動モータを備え、電話・メール着信時に駆動されて着信報知を行うほか、アラーム報知時にも駆動される。ＲＴＣ（リアルタイムクロックモジュール）１８は、時計部を構成するもので、ＣＰＵ１は、ＲＴＣ１８から現在日時を取得する。
【００２２】
ＧＰＳ(Global Positioning System)部１９は、ＧＰＳ衛星と地上の制御局を利用することによって測定された現在位置(経緯度)を受信するもので、ＧＰＳ衛星からＧＰＳ情報を受信して位置情報管理サーバ（図示せず）に送信すると、位置情報管理サーバは、このＧＰＳ情報に基づいて位置算出を行い、この位置情報を要求元の携帯電話装置に送信するようにしている。なお、自己の位置情報は、その測位精度にもよるが、複数のＧＰＳ衛星からの電波到達の時間差から携帯電話装置側で算出取得するようにしてもよいが、この実施例では、位置情報管理サーバ側で算出された位置情報を受信取得するようにしている。
【００２３】
図２（Ａ）は、起動制限テーブル２１を説明するための図である。
起動制限テーブル２１は、携帯電話装置の電源投入時においてその起動（立ち上げ）を制限する制限条件が設定されるもので、この制限条件として「位置」、「時間」の項目が設定されている。なお、この実施例は、例えば、法人契約の携帯電話を各社員にそれぞれ１台ずつ配布した場合に、「位置」は、“会社の構内全体”あるいは“会社の建物全体”などを示し、「時間」は、勤務時間帯の前後を含めた“午前８時００分〜午後７時００分”あるいは“全２４時間”などである。ＣＰＵ１は、電源投入時に起動制限テーブル２１を参照して制限条件の成立有無をチェックし、条件成立時にはユーザの確認を受けたうえで電源をオフするようにしている。なお、制限条件としての「位置」は、必須項目であるが、「時間」は必要に応じて設定される任意項目である（以下、同様）。
【００２４】
図２（Ｂ）は、起動制限解除テーブル２２を説明するための図である。
起動制限解除テーブル２２は、携帯電話装置の起動が制限されている状態においてその制限を解除する解除条件が設定されるもので、ユーザ毎にその「ユーザパスワード」、「位置」、「時間」の項目が解除条件として設定されている。「位置」は、上述した起動制限の条件である「位置」から適用除外される位置を示し、上述した起動制限の条件である「位置」が“会社の構内全体”であれば、解除条件としての「位置」は、例えば、“食堂”、“ロビー”、“玄関付近”などである。また、「時間」は、上述した起動制限の条件である「時間」から適用除外される時間帯を示している。“ユーザＡ”は社員（子）、“ユーザＢ”は会社の管理者（親）である。なお、解除条件としての「位置」は、必須項目であるが、「時間」は必要に応じて設定される任意項目である（以下、同様）。
【００２５】
図３は、起動制限の条件と解除条件との関係を例示したものであり、制限範囲内の一部分を解除エリアとした場合である。
すなわち、“会社の建物全体”が制限範囲の場合に、この制限範囲内の一部（例えば、食堂、ロビー、玄関付近）を解除エリアＸ、Ｙ、Ｚとした場合である。ここで、解除エリアＸ内であれば、ユーザＡ、Ｂの何れも、“１１時３０分〜１３時３０分”の時間帯であれば、制限の解除が可能であることを示し、解除エリアＹ内であれば、ユーザＢ、Ｃの何れも、“１０時００分〜１７時００分”の時間帯であれば、制限の解除が可能であることを示している。なお、図中、解除エリアＺにおいてユーザＢ対応の「時間」に付した“−”は、解除条件として時間帯が設定されていないことを示している。このように解除条件の項目が無設定の場合、当該項目の無条件解除が可能となる。
【００２６】
図４は、機能／フォルダ制限テーブル２３を説明するための図である。
機能／フォルダ制限テーブル２３は、機能あるいはフォルダが選択された際に、その選択機能の立ち上げあるいは選択フォルダのオープンを制限する制限条件が設定されるものであり、機能／フォルダ毎に「位置」、「時間帯」の項目が制限条件として設定されている。この「位置」、「時間帯」については、上述の起動制限テーブル２１と同様である。なお、機能（Ｆ１）、（Ｆ２）、（Ｆ３）は、例えば、カメラ機能、録音機能、テレビ機能などであり、フォルダ（ｆ１）、（ｆ２）は、例えば、画像フォルダ、録音ファイルなどである。
【００２７】
図５は、機能／フォルダ制限解除テーブル２４を説明するための図である。
機能／フォルダ制限解除テーブル２４は、選択機能の立ち上げ／選択フォルダのオープンが制限されている状態においてその制限を解除する場合の解除条件が設定されるもので、機能／フォルダ毎に「ユーザパスワード」、「位置」、「時間帯」の項目が解除条件として設定されている。なお、この「ユーザパスワード」、「位置」、「時間帯」については、上述の起動制限解除テーブル２２と同様である。この機能／フォルダ制限解除テーブル２４には、複数組（例えば、２組）の「位置」、「時間帯」が設定可能となっている。なお、複数組の解除条件が設定されている場合には、その何れかの解除条件が成立すればよい。
【００２８】
次に、この実施例における携帯電話装置の動作概念を図６〜図８に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２９】
図６〜図８は、電源投入に伴って実行開始される携帯電話装置の全体動作を示したフローチャートである。
先ず、ＣＰＵ１は、電源ＯＮに伴って起動制限テーブル２１をアクセスし、制限条件として「位置」、「時間」が設定されているかを調べ（ステップＳ１）、制限条件の設定が無ければ、携帯電話装置の立ち上げを許可するために図７のステップＳ１６に移って待受状態となるが、制限条件の設定が有れば、この制限条件を起動制限テーブル２１から読み出したのち（ステップＳ２）、ＧＰＳ部１９から現在位置を取得すると共に（ステップＳ３）、ＲＴＣ１８から現在時刻を取得する（ステップＳ４）。そして、起動制限テーブル２１から読み出した「位置」、「時間」と現在位置、現在時刻とを比較し（ステップＳ５）、現在位置、現在時刻は、制限条件としての「位置」、「時間」に含まれるかをチェックする（ステップＳ６）。
【００３０】
いま、現在位置、現在時刻が制限条件から外れている場合には（ステップＳ６でＮＯ）、携帯電話装置の立ち上げを許可するために図７のステップＳ１６に移って待受状態となるが、現在位置及び現在時刻が制限条件内に含まれている場合、つまり、制限条件が成立した場合には（ステップＳ６でＹＥＳ）、携帯電話装置の起動が制限されていることを示す状態メッセージを表示出力させる（ステップＳ７）。この状態において、ユーザから制限解除の要求を受けたかをチェックし（ステップＳ８）、解除要求が無ければ、電源を自動ＯＦＦするが、解除要求を受けた場合には、パスワード入力画面を表示出力させる（ステップＳ９）。ここで、キー操作部１２からパスワードが入力されると（ステップＳ１０）、この入力パスワードに基づいて起動制限解除テーブル２２を検索し、この入力パスワードと登録パスワードとを比較することによって入力パスワードに一致する登録パスワードの有無をチェックする（ステップＳ１１）。
【００３１】
ここで、該当パスワード無し場合には（ステップＳ１１でＮＯ）、解除不可を示すＮＧメッセージを表示出力させたのち（ステップＳ１２）、電源を自動ＯＦＦするが、該当するパスワードが有って正規ユーザであることが認証された場合には（ステップＳ１１でＹＥＳ）、起動制限解除テーブル２２を検索し、当該パスワード対応の解除条件が設定されているかを調べ（ステップＳ１３）、解除条件の設定が無ければ、解除不可を示すＮＧメッセージを表示出力させたのち（ステップＳ１２）、電源を自動ＯＦＦする。
【００３２】
また、解除条件の設定が有れば（ステップＳ１３でＹＥＳ）、この解除条件「位置」、「時間」を起動制限解除テーブル２２から読み出して、上述の現在位置、現在時刻と比較する（ステップＳ１４）。この結果、現在位置、現在時刻が解除条件から外れている場合には（ステップＳ１５でＮＯ）、解除不可を示すＮＧメッセージを表示出力させたのち（ステップＳ１２）、電源を自動ＯＦＦするが、現在位置及び現在時刻が解除条件内に含まれている場合、つまり、解除条件が成立した場合には（ステップＳ１５でＹＥＳ）、携帯電話装置の立ち上げを許可するために図７のステップＳ１６に移って待受状態となる。
【００３３】
図７のステップＳ１６において、ＣＰＵ１は、電話通信部５を作動させて公衆携帯電話網（移動体通信網）を構成する最寄りの基地局を介して位置登録応答を行うことによってその交換機側に自己（携帯電話）の現在位置を登録させると共に、所定の待受画像を読み出して表示出力させながら電話／メールの待受状態となる。この状態において、ＣＰＵ１は、電話／メール着信有りを検出すると（ステップＳ１７でＹＥＳ）、着信報知を行うと共に、通話処理あるいは受信メール着信処理を実行する(ステップＳ１８)。
【００３４】
また、待受状態においては、機能選択あるいはフォルダ選択の有無をチェックしたり（ステップＳ１９）、その他の操作有無をチェックする（ステップＳ２０）。ここで、機能選択あるいはフォルダ選択以外の操作が行われた場合には（ステップＳ２０でＹＥＳ）、操作対応の処理として、例えば、制限条件、解除条件の設定処理が行われる（ステップＳ２１）。すなわち、起動制限テーブル２１、機能／フォルダ制限テーブル２３に対しては任意に入力されたデータを制限条件として設定する処理が行われ、起動制限解除テーブル２２、機能／フォルダ制限解除テーブル２４に対しては任意に入力されたデータを解除条件として設定する処理が行われる。
【００３５】
機能選択あるいはフォルダ選択が行われた場合には（ステップＳ１９でＹＥＳ）、この選択機能あるいは選択フォルダに基づいて機能／フォルダ制限テーブル２３を検索し、選択機能／選択フォルダに対応して制限条件が設定されているかを調べ（ステップＳ２２）、制限条件の設定が無ければ、選択機能／フォルダの使用を許可するためにステップＳ２７に移るが、制限条件の設定が有れば（ステップＳ２２でＹＥＳ）、ＧＰＳ部１９から現在位置を取得すると共に（ステップＳ２３）、ＲＴＣ１８から現在時刻を取得する（ステップＳ２４）。そして、機能／フォルダ制限テーブル２３から読み出した「位置」、「時間」と現在位置、現在時刻とを比較し（ステップＳ２５）、現在位置、現在時刻は、機能／フォルダ制限条件としての「位置」、「時間」に含まれるかをチェックする（ステップＳ２６）。
【００３６】
ここで、現在位置、現在時刻が機能／フォルダの制限条件から外れている場合には（ステップＳ２６でＮＯ）、選択機能／フォルダの使用を許可するためにステップＳ２７に移る。すなわち、選択対象が機能であれば（ステップＳ２６でＹＥＳ）、この選択機能を立ち上げて（ステップＳ２８）、この機能対応の処理を実行するが（ステップＳ２９）、選択対象がフォルダであれば（ステップＳ２７でＮＯ）、この選択フォルダをオープンさせて（ステップＳ３０）、フォルダ内容を表示出力させながらフォルダ処理を実行する（ステップＳ３１）。このような機能処理／フォルダ処理が終了すると、ステップＳ１６に戻り、待受状態となる。
【００３７】
一方、現在位置、現在時刻が選択機能／フォルダ対応の制限条件に含まれている場合には（ステップＳ２６でＹＥＳ）、その選択機能／フォルダの使用を制限するために図８のステップＳ３２に移り、選択機能／フォルダの使用が制限されていることを示す状態メッセージを表示出力させる。この状態において、ユーザから制限解除の要求を受けたかをチェックし（ステップＳ３３）、解除要求が無ければ、待受状態に戻るが（図７のステップＳ１６）、解除要求を受けた場合には、パスワード入力画面を表示出力させる（ステップＳ３４）。
【００３８】
ここで、キー操作部１２からパスワードが入力されると（ステップＳ３５）、この入力パスワードに基づいて機能／フォルダ制限解除テーブル２４を検索し、選択機能／選択フォルダに対応して設定されている各登録パスワードと入力パスワードとを比較することによって（ステップＳ３６）、入力パスワードに一致する登録パスワードの有無をチェックし（ステップＳ３７）、該当パスワード無しの場合には、解除不可を示すＮＧメッセージを表示出力させたのち（ステップＳ４１）、待受状態に戻る（図７のステップＳ１６）。
【００３９】
また、該当パスワードが有って正規ユーザであることが認証された場合には（ステップＳ３７でＹＥＳ）、機能／フォルダ制限解除テーブル２４を検索し、選択機能／選択フォルダに対応し、かつ、当該パスワードに対応して解除条件が設定されているかを調べる（ステップＳ３８）。なお、機能／フォルダ制限テーブル２３には、複数組の解除条件が設定可能であるが、その何れかに解除条件が設定されていればよい。ここで、解除条件の設定が無ければ、解除不可を示すＮＧメッセージを表示出力させる（ステップＳ４１）。
【００４０】
解除条件の設定が有れば（ステップＳ３８でＹＥＳ）、当該パスワード対応の解除条件「位置」、「時間」を機能／フォルダ制限解除テーブル２４から読み出して、上述の現在位置、現在時刻と比較する（ステップＳ３９）。この結果、現在位置、現在時刻が解除条件から外れていれば（ステップＳ４０でＮＯ）、解除不可を示すＮＧメッセージを表示出力させるが（ステップＳ１２）、現在位置及び現在時刻が解除条件内に含まれている場合、つまり、解除条件が成立した場合には（ステップＳ４０でＹＥＳ）、選択機能／選択フォルダの使用を許可するために、図７のステップＳ２７に移る。
【００４１】
以上のように、この実施例においてＣＰＵ１は、使用制限の解除が要求された際に、入力されたパスワードに基づいてユーザ認証を行った結果、正規なユーザであれば、ＧＰＳ部１９から取得した現在位置とＲＴＣ１８から取得した現在時刻に基づいて起動制限解除テーブル２２あるいは機能／フォルダ制限解除テーブル２４を検索し、この現在位置、現在時刻と解除条件としての「位置」、「時間」とを比較し、この比較結果に基づいて使用制限を解除するか否かを決定するようにしたから、ユーザ認証情報と共に現在位置に基づいて使用制限を解除することができ、ユーザ認証情報を入力して制限解除を要求する場合、その要求時の位置に応じて制限解除ができる場合とできない場合とを制御することが可能となる。
【００４２】
携帯電話装置の電源投入時においてその起動（立ち上げ）が制限されている場合であっても、起動制限解除テーブル２２の設定内容に基づいてその制限を解除することができる。また、カメラ機能、録音機能などの機能選択時あるいは画像フォルダなどのフォルダ選択時に、その立ち上げが制限されている場合でも、機能／フォルダ制限解除テーブル２４の設定内容に基づいてその制限を解除することができる。
【００４３】
また、起動制限解除テーブル２２、機能／フォルダ制限解除テーブル２４は、使用制限を解除する解除条件として「位置」のほか、「時間」の項目を有し、現在位置、現在時刻と解除条件としての「位置」、「時間」とを比較し、制限を解除するか否かを決定するようにしたから、「位置」、「時間」との論理積条件によって制限解除が可能となる。
【００４４】
起動制限解除テーブル２２、機能／フォルダ制限解除テーブル２４には、複数のユーザＡ、Ｂ毎に、そのパスワードに対応して解除条件を設定するようにしたので、一義的に制限条件を起動制限テーブル２１、機能／フォルダ制限テーブル２３に設定したとしても、ユーザ毎に個別の方法でその制限を解除することが可能となる。この場合、役職あるいは所属部署などからの観点から特別なユーザに対して特別な権限を付与するために、緩やかな解除条件を設定しておけば、解除範囲を広げることが可能となる。
【００４５】
また、例えば、“会社の建物全体”が制限範囲の場合に、この制限範囲内の一部（例えば、食堂、ロビー、玄関付近）を解除エリアについては、使用制限エリア内であっても、解除条件の成立に応じて解除することができる。例えば、社内のカメラ撮影を機密保持などの観点からカメラ機能の使用が制限されている場合に、同じ社内でも制限する必要の無い食堂、ロビー、玄関付近のエリアでのカメラ撮影を許可することが可能となる。つまり、社内でのカメラ撮影を一義的に制限したとしても、その一部のエリアについては適用除外となり、解除条件が成立すれば、撮影禁止を解除することが可能となる。
【００４６】
なお、上述した実施例においては、ＧＰＳ部１９によって現在位置を取得するようにしたが、を備えた携帯電話装置にあっては、非接触ＩＣ処理部を利用して自己所在位置を管理するようにしてもよい。すなわち、電子マネー支払い機能のほか、特定施設（会社など）の入場／退場を検出する機能として利用可能な非接触ＩＣ処理部と、会社内に設置されている出退社監視用のゲート装置（会社ゲート）との間で微弱電波による近距離通信が行われた際に、ＣＰＵ1は、ユーザは会社構内か、会社内の特定エリア内に居るかを監視するようにしてもよい。
【００４７】
上述した実施例においては、携帯電話装置の電源投入時には起動制限テーブル２１を参照し、機能選択時あるいはフォルダ選択時には機能／フォルダ制限テーブル２３を参照し、現在位置、現在時刻がその制限条件に一致する場合に自動制限を行うようにしたが、制限条件の成立有無に拘らず、電源投入時から常時制限するようにしてもよい。
上述した実施例においては、制限範囲内の一部を適用除外とするためにその一部分のエリア（解除エリア）を解除条件として設定するようにしたが、解除エリアを除く他のエリアを解除条件として設定してもよい。
【００４８】
また、ユーザ認証用として、パスワードを入力するようにしたが、指紋、顔、虹彩等の人間の生体情報を利用し、指紋センサ、カメラから入力された情報に基づいて個人認証を行うようにしてもよい。
その他、携帯電話装置に限らず、例えば、ＰＤＡ、電子カメラ、電子腕時計、音楽再生機などの携帯端末装置であっても同様に適用可能である。
【００４９】
上記の実施形態の一部又は全部は、以下の付記のようにも記載されうるが、以下には限られない。
【００５０】
（付記１）
使用制限の設定が可能な携帯端末装置であって、
予め設定されているユーザ認証情報に対応して、使用制限を解除する解除条件として任意に設定された位置情報を記憶管理する解除条件記憶手段と、
ユーザ認証情報を入力する入力手段と、
現在の位置情報を取得する取得手段と、
使用制限の解除が要求された際に、前記入力手段から入力されたユーザ認証情報及び前記取得手段によって得られた現在の位置情報と前記設定されているユーザ認証情報及び位置情報とを比較し、この比較結果に基づいて当該使用制限を解除するか否かを決定する決定手段と、
を具備したことを特徴とする携帯端末装置。
【００５１】
（付記２）
前記使用制限の設定は、当該装置本体を起動する際の立ち上げ可否を示す設定であり、
前記決定手段は、前記入力されたユーザ認証情報と前記設定されているユーザ認証情報とが一致した場合に、前記現在の位置情報と前記解除条件の位置情報との比較結果に基づいて装置本体の立ち上げ可否を決定する、
ようにしたことを特徴とする付記１記載の携帯端末装置。
【００５２】
（付記３）
前記使用制限の設定は、個々の機能毎にその使用可否を示す設定であり、
前記条件記憶手段は、個々の機能毎にユーザ認証情報と解除条件としての位置情報とを対応付けて記憶管理し、
前記決定手段は、使用が制限されている機能に対してその制限解除が要求された際に、前記入力されたユーザ認証情報と当該要求機能に対応して設定されているユーザ認証情報とが一致した場合に、前記現在の位置情報と要求機能対応の位置情報との比較結果に基づいて要求機能の使用制限を解除するか否かを決定する、
ようにしたことを特徴とする付記１記載の携帯端末装置。
【００５３】
（付記４）
前記使用制限の設定は、個々の情報毎にその使用可否を示す設定であり、
前記条件記憶手段は、個々の情報毎にユーザ認証情報と前記解除条件としての位置情報とを対応付けて記憶管理し、
前記決定手段は、使用が制限されている情報に対してその制限解除が要求された際に、前記入力されたユーザ認証情報と当該要求情報に対応して設定されているユーザ認証情報とが一致した場合に、前記現在の位置情報と要求機能対応の位置情報との比較結果に基づいて要求情報の使用制限を解除するか否かを決定する、
ようにしたことを特徴とする付記１記載の携帯端末装置。
【００５４】
（付記５）
現在の位置情報を取得する取得手段のほか、現在時刻を取得する取得手段を設け、
前記解除条件記憶手段は、使用制限を解除する解除条件として位置情報のほか、時間帯を記憶管理し、
前記決定手段は、前記入力されたユーザ認証情報と前記設定されているユーザ認証情報とが一致した場合に、前記現在の位置情報と前記解除条件の位置情報との比較結果及び現在時刻と解除条件の時間帯との比較結果に基づいて使用制限を解除するか否かを決定する、
ようにしたことを特徴とする付記１記載の携帯端末装置。
【００５５】
（付記６）
前記解除条件記憶手段は、予め設定されている複数のユーザ認証情報に対応して使用制限の解除条件を記憶管理し、
前記決定手段は、前記入力されたユーザ認証情報が前記解除条件記憶手段内の何れかのユーザ認証情報に一致した場合に、このユーザ認証情報に対応して設定されている位置情報と前記現在の位置情報とを比較する、
ようにしたことを特徴とする付記１記載の携帯端末装置。
【００５６】
（付記７）
使用制限エリア内であっても、現在の位置情報と前記解除条件の位置情報とが一致する場合には、その制限を解除する、
ようにしたことを特徴とする付記１記載の携帯端末装置。
【００５７】
（付記８）
コンピュータに対して、
使用制限を設定する機能と、
予め設定されているユーザ認証情報に対応して、使用制限を解除する解除条件として任意に設定された位置情報を記憶管理する機能と、
ユーザ認証情報を入力する機能と、
現在の位置情報を取得する機能と、
使用制限の解除が要求された際に、前記入力されたユーザ認証情報及び前記取得した現在の位置情報と前記設定されているユーザ認証情報及び位置情報とを比較し、この比較結果に基づいて当該使用制限を解除するか否かを決定する機能と、
を実現させるためのプログラム。
【符号の説明】
【００５８】
１ ＣＰＵ
２ 記憶部
５ 電話通信部
１０ 表示部
１２ キー操作部
１３ テレビ放送受信チューナ
１５ 録音部
１６ カメラ撮像部
１８ ＲＴＣ
１９ ＧＰＳ部
２１ 起動制限テーブル
２２ 起動制限解除テーブル
２３ 機能／フォルダ制限テーブル
２４ 機能／フォルダ制限解除テーブル
【図１】
2011234396.tif 000003
【図２】
2011234396.tif 000004
【図３】
2011234396.tif 000005
【図４】
2011234396.tif 000006
【図５】
2011234396.tif 000007
【図６】
2011234396.tif 000008
【図７】
2011234396.tif 000009
【図８】
2011234396.tif 000010